(57)【要約】【課題】  定着部材と加圧部材との間でトナー画像を記録媒体に定着させるにあたり、定着部材と加圧部材の回転速度を、定着動作時と定着動作を行わない待機時とで切り換える場合等に、これらの回転速度を変更させる動作が安定して短時間で行えるようにする。【解決手段】  定着部材31と加圧部材32との間でトナー画像tを記録媒体Sに定着させる定着装置30において、回転駆動装置40における回転を定着部材と加圧部材とに伝達させるにあたり、減速比が異なる第１回転伝達機構41と第２回転伝達機構42を設けると共に、定着部材と加圧部材との間の押圧力を変更させる圧力変更手段35を設け、定着部材と加圧部材とに回転を伝達させる第１回転伝達機構と第２回転伝達機構とを制御装置50により切り換える際に、圧力変更手段により、定着部材と加圧部材との間の押圧力を調整するようにした。【選択図】  図２
2016090952.tif 000002
【特許請求の範囲】
【請求項１】
定着部材と、前記の定着部材を加熱させる加熱装置と、前記の定着部材との間で未定着のトナー画像が形成された記録媒体を加圧させる加圧部材と、前記の定着部材と加圧部材とに回転駆動装置における回転を伝達させる回転伝達機構とを備え、前記の定着部材と加圧部材との間で前記の記録媒体を加熱・加圧させて、未定着のトナー画像を記録媒体に定着させる定着装置において、前記の回転伝達機構として、前記の回転駆動装置における回転を前記の定着部材と加圧部材とに伝達させる減速比が異なる第１回転伝達機構と第２回転伝達機構とを設けると共に、前記の第１回転伝達機構と第２回転伝達機構との切り換えを制御する制御装置と、前記の定着部材と加圧部材との間の押圧力を変更させる圧力変更手段とを設け、前記の制御装置により第１回転伝達機構と第２回転伝達機構とを切り換える際に、前記の圧力変更手段により、定着部材と加圧部材との間の押圧力を調整することを特徴とする定着装置。
【請求項２】
請求項１に記載の定着装置において、前記の制御装置は、前記の回転駆動装置における回転方向を変更させて、前記の第１回転伝達機構と第２回転伝達機構との切り換えを行うことを特徴とする定着装置。
【請求項３】
請求項１に記載の定着装置において、前記の第１回転伝達機構と第２回転伝達機構とにそれぞれ電磁クラッチを設け、前記の制御装置により、動作させる電磁クラッチを切り換えて、第１回転伝達機構と第２回転伝達機構との切り換えを行うことを特徴とする定着装置。
【請求項４】
請求項１〜請求項３の何れか１項に記載の定着装置において、前記の第１回転伝達機構における減速比よりも、前記の第２回転伝達機構における減速比を大きくし、トナー画像を記録媒体に定着させる定着動作時に、前記の第１回転伝達機構により回転駆動装置における回転を定着部材と加圧部材とに伝達させる一方、定着動作を行わない待機時に、前記の第２回転伝達機構により回転駆動装置における回転を定着部材と加圧部材とに伝達させることを特徴とする定着装置。
【請求項５】
請求項４に記載の定着装置において、前記の定着動作時と待機時とを切り換える切換時に、前記の圧力変更手段により、定着部材と加圧部材との間の押圧力を待機時における押圧力よりも強くすることを特徴とする画像形成装置。
【請求項６】
未定着のトナー画像を記録媒体に定着させる定着装置に、請求項１〜請求項５の何れか１項に記載の定着装置を用いたことを特徴とする画像形成装置。
【請求項７】
請求項６に記載の画像形成装置において、前記の定着装置における回転駆動装置の回転を他の駆動部材に伝達させる第３回転伝達機構を設け、定着動作時においては、前記の第３回転伝達機構により、回転駆動装置の回転を他の駆動部材に伝達させる一方、定着動作を行わない待機時においては、回転駆動装置における回転を他の駆動部材に伝達させないように、前記の制御装置により制御することを特徴とする画像形成装置。
【発明の詳細な説明】
【技術分野】
【０００１】
本発明は、未定着のトナー画像を記録媒体に定着させる定着装置及びこのような定着装置を用いた画像形成装置に関するものである。特に、定着部材と、前記の定着部材を加熱させる加熱装置と、前記の定着部材との間で未定着のトナー画像が形成された記録媒体を加圧させる加圧部材と、前記の定着部材と加圧部材とに回転駆動装置における回転を伝達させる回転伝達機構とを備え、前記の定着部材と加圧部材との間で前記の記録媒体を加熱・加圧させて、未定着のトナー画像を記録媒体に定着させる定着装置において、トナー画像を記録媒体に定着させる定着動作時と、定着動作を行わない待機時とに切り換える場合等に、回転駆動装置によって回転させる定着部材や加圧部材の回転速度を変更させるにあたり、このような動作が安定して短時間で行えるようにした点に特徴を有するものである。
【背景技術】
【０００２】
従来から、複写機、プリンター、ファクシミリ及びこれらの複合機等の画像形成装置においては、一般に、感光体等の像担持体からトナー画像が転写された記録媒体を定着装置に導き、記録媒体に転写された未定着のトナー画像を、この定着装置において記録媒体に定着させるようにしている。
【０００３】
ここで、このような定着装置においては、一般に、加熱装置によって加熱された定着部材に加圧部材を押圧させた状態で、この定着部材と加圧部材とを回転駆動装置により回転させると共に、未定着のトナー画像が形成された記録媒体を、この定着部材と加圧部材との間に導き、この記録媒体を定着部材と加圧部材との間で加熱・加圧させて、未定着のトナー画像を記録媒体に定着させるようにしている。
【０００４】
そして、近年においては、画像形成装置におけるファーストコピータイムを早くするため、加熱装置にＩＨ（誘導加熱）装置を用いて、定着部材を速やかに加熱させるようにすると共に、定着動作を行わない待機時においても、定着部材と加圧部材とを回転させ続けて、定着部材を加熱させた状態で維持させることが行われている。
【０００５】
しかし、近年においては、画像形成速度の高速化に伴って、定着部材と加圧部材とを回転させる速度が速くなり、定着動作を行わない待機時においても、定着部材と加圧部材とが高速で回転されて騒音が発生し、また定着部材や加圧部材や回転駆動装置等に加わる負荷が増加し、定着装置の寿命が低下する等の問題があった。
【０００６】
このため、前記のような定着装置においては、回転駆動装置によって定着部材や加圧部材を回転させる回転速度を、定着動作時に比べて、定着動作を行わない待機時に遅くして、騒音の発生等を抑制することが検討されている。
【０００７】
また、従来においては、特許文献１に示されるように、定着装置等において、回転駆動装置により回転体を回転させるにあたり、回転駆動装置における回転を回転体に伝達させる回転伝達機構として、減速比が異なる第１回転伝達機構と第２回転伝達機構とを設け、使用モードにより、前記の回転駆動装置における回転方向を切り換えて、回転駆動装置における回転を回転体に伝達させる回転伝達機構を、前記の第１回転伝達機構と第２回転伝達機構との間で切り換え、回転駆動装置による回転体の回転速度を、使用モードにより変更させるようにしたものが提案されている。
【０００８】
しかし、前記のように回転駆動装置における回転方向を切り換えて、回転駆動装置における回転を回転体に伝達させる回転伝達機構を、第１回転伝達機構と第２回転伝達機構との間で切り換える場合、回転駆動装置による回転体の回転を停止させた後、回転駆動装置における回転方向を切り換えることが必要になり、回転駆動装置による回転体の回転を停止させるまでに多くの時間を要すると共に、回転体の回転が停止するまでの時間にバラツキが生じるという問題があった。
【０００９】
このため、前記の定着装置において、特許文献１に示されるものを利用したとしても、回転駆動装置によって回転させる定着部材や加圧部材の回転速度を変更させる動作を、一定した短い時間で安定して行うということは困難であった。
【先行技術文献】
【特許文献】
【００１０】
【特許文献１】特開２００５−５４８６１号公報
【発明の開示】
【発明が解決しようとする課題】
【００１１】
本発明は、加熱装置によって加熱された定着部材に加圧部材を押圧させた状態で、この定着部材と加圧部材とを回転駆動装置により回転させると共に、未定着のトナー画像が形成された記録媒体を、この定着部材と加圧部材との間に導き、この記録媒体を定着部材と加圧部材との間で加熱・加圧させて、未定着のトナー画像を記録媒体に定着させる定着装置において、トナー画像を記録媒体に定着させる定着動作時と、定着動作を行わない待機時とに切り換える場合等において、回転駆動装置によって回転させる定着部材や加圧部材の回転速度を変更させるにあたり、このような動作が安定して短時間で行えるようにすることを課題とするものである。
【課題を解決するための手段】
【００１２】
本発明に係る定着装置においては、前記の課題を解決するため、定着部材と、前記の定着部材を加熱させる加熱装置と、前記の定着部材との間で未定着のトナー画像が形成された記録媒体を加圧させる加圧部材と、前記の定着部材と加圧部材とに回転駆動装置における回転を伝達させる回転伝達機構とを備え、前記の定着部材と加圧部材との間で前記の記録媒体を加熱・加圧させて、未定着のトナー画像を記録媒体に定着させる定着装置において、前記の回転伝達機構として、前記の回転駆動装置における回転を前記の定着部材と加圧部材とに伝達させる減速比が異なる第１回転伝達機構と第２回転伝達機構とを設けると共に、前記の第１回転伝達機構と第２回転伝達機構との切り換えを制御する制御装置と、前記の定着部材と加圧部材との間の押圧力を変更させる圧力変更手段とを設け、前記の制御装置により第１回転伝達機構と第２回転伝達機構とを切り換える際に、前記の圧力変更手段により、定着部材と加圧部材との間の押圧力を調整するようにした。
【００１３】
ここで、この定着装置において、前記のように制御装置により第１回転伝達機構と第２回転伝達機構とを切り換えるにあたっては、例えば、前記の制御装置により、前記の回転駆動装置における回転方向を変更させて、第１回転伝達機構と第２回転伝達機構との切り換えを行うようにし、或いは前記の第１回転伝達機構と第２回転伝達機構とにそれぞれ電磁クラッチを設け、前記の制御装置により、動作させる電磁クラッチを切り換えて、第１回転伝達機構と第２回転伝達機構との切り換えを行うようにすることができる。なお、前記のように制御装置により、回転駆動装置における回転方向を変更させて、第１回転伝達機構と第２回転伝達機構との切り換えを行う場合において、回転駆動装置による回転方向の変更が速やかに行えるようにするため、第１回転伝達機構と第２回転伝達機構との切り換えを行う際に、前記の圧力変更手段により、定着部材と加圧部材との間の押圧力を強くして、回転駆動装置による定着部材と加圧部材との回転を速やかに停止させるようにすることが好ましい。
【００１４】
また、この定着装置において、前記のように制御装置により第１回転伝達機構と第２回転伝達機構とを切り換えるにあたり、前記の第１回転伝達機構における減速比よりも、前記の第２回転伝達機構における減速比を大きくし、トナー画像を記録媒体に定着させる定着動作時においては、前記の第１回転伝達機構によって回転駆動装置における回転を定着部材と加圧部材とに伝達させる一方、定着動作を行わない待機時においては、前記の第２回転伝達機構により回転駆動装置における回転を定着部材と加圧部材とに伝達させるようにすることができる。このように、定着動作を行わない待機時に、第１回転伝達機構よりも減速比が大きな第２回転伝達機構に切り換えて、この第２回転伝達機構により回転駆動装置における回転を定着部材と加圧部材とに伝達させるようにすると、定着部材と加圧部材とにおける回転速度が、定着動作時に比べて待機時において遅くなる。
【００１５】
また、このように制御装置により、第１回転伝達機構と第２回転伝達機構とを定着動作時と待機時とで切り換える場合、前記の圧力変更手段により、定着部材と加圧部材との間の押圧力を待機時における押圧力よりも強くことが好ましい。
【００１６】
また、本発明に係る画像形成装置においては、トナー画像を記録媒体に定着させるのに、前記のような定着装置を用いるようにした。
【００１７】
また、前記の画像形成装置においては、前記の定着装置における回転駆動装置の回転を他の駆動部材に伝達させる第３回転伝達機構を設け、定着動作時においては、前記の第３回転伝達機構により、回転駆動装置の回転を他の駆動部材に伝達させる一方、定着動作を行わない待機時においては、回転駆動装置における回転を他の駆動部材に伝達させないように、前記の制御装置によって制御させるようにすることができる。
【発明の効果】
【００１８】
本発明の定着装置においては、前記のように回転駆動装置における回転を定着部材と加圧部材とに伝達させる回転伝達機構として、減速比が異なる第１回転伝達機構と第２回転伝達機構とを設け、前記の制御装置により第１回転伝達機構と第２回転伝達機構とを切り換えて、定着部材と加圧部材とにおける回転速度を変更させるに際に、圧力変更手段により、定着部材と加圧部材との間の押圧力を調整するようにしたため、定着部材と加圧部材の回転を速やかに制御することができるようになる。
【００１９】
また、本発明の定着装置において、前記のように制御装置により第１回転伝達機構と第２回転伝達機構とを切り換えるにあたり、制御装置により、前記の回転駆動装置における回転方向を変更させて、第１回転伝達機構と第２回転伝達機構とを切り換える場合に、前記の圧力変更手段により、定着部材と加圧部材との間の押圧力を強くすると、回転している定着部材と加圧部材とを、回転伝達機構との切換時において速やかに停止させることができると共に、定着部材と加圧部材との回転が停止させるまでの時間のバラツキも少なくなる。このため、前記のように制御装置により、回転駆動装置における回転方向を変更させて、第１回転伝達機構と第２回転伝達機構とを切り換え、定着部材や加圧部材を回転させる回転速度を変更させる動作が短い時間で安定して行えるようになる。
【００２０】
また、本発明の定着装置において、前記のようにトナー画像を記録媒体に定着させる定着動作時と定着動作を行わない待機時とで、第１回転伝達機構と第２回転伝達機構とを切り換え、回転駆動装置によって回転される定着部材と加圧部材の回転速度を、定着動作時に比べて待機時において遅くすると、待機時における騒音の発生が抑制されるようになると共に、加熱装置によって加熱された定着部材から放熱される熱量を減少させることができる。
【００２１】
さらに、定着動作時と定着動作を行わない待機時との切換時において、前記のように制御装置により回転駆動装置における回転方向を変更させて、第１回転伝達機構と第２回転伝達機構とを切り換えると共に、圧力変更手段により、定着部材と加圧部材との間の押圧力を強くすると、切換時において回転している定着部材と加圧部材とを速やかに停止させることができると共に、定着部材と加圧部材の回転が停止するまでの時間のバラツキも少なくなり、定着動作時と待機時との間の切換動作を行う時間を短縮することができ、効率のよい画像形成が行えるようになる。
【図面の簡単な説明】
【００２２】
【図１】本発明の実施形態に係る定着装置を使用する画像形成装置の例を示した概略説明図である。
【図２】本発明の実施形態に係る定着装置を示した概略説明図である。
【図３】前記の実施形態に係る定着装置において、回転駆動装置における回転を加圧ローラーや排紙ローラーに伝達させる回転伝達機構の第１の例を示し、定着動作時に、回転駆動装置における回転を第１回転伝達機構によって伝達させる状態を示した概略説明図である。
【図４】図３に示した回転伝達機構において、待機時に、回転駆動装置における回転を第２回転伝達機構によって伝達させる状態を示した概略説明図である。
【図５】前記の実施形態に係る定着装置において、回転駆動装置における回転を加圧ローラーに伝達させる回転伝達機構の第２の例を示し、定着動作時に、回転駆動装置における回転を第１回転伝達機構によって伝達させる状態を示した概略説明図である。
【図６】図５に示した回転伝達機構において、待機時に、回転駆動装置における回転を第２回転伝達機構によって伝達させる状態を示した概略説明図である。
【発明を実施するための形態】
【００２３】
本発明の実施形態に係る定着装置及びこの定着装置を使用する画像形成装置について図面を参照しながら具体的に説明する。なお、本発明に係る定着装置及び画像形成装置は、下記の実施形態に示したものに限定されず、その要旨を変更しない範囲において適宜変更して実施できるものである。
【００２４】
本発明の実施形態に係る定着装置３０を使用する画像形成装置１においては、図１に示すように、その内部に４つのイメージングカートリッジ１０Ａ〜１０Ｄを装着させている。
【００２５】
そして、前記の各イメージングカートリッジ１０Ａ〜１０Ｄにおいては、感光体１１と、この感光体１１の表面を帯電させる帯電装置１２と、帯電された感光体１１の表面に画像情報に応じた露光を行って感光体１１の表面に静電潜像を形成する露光装置１３と、感光体１１の表面に形成された静電潜像にトナーを供給してトナー画像を形成する現像装置１４と、感光体１１の表面に形成されたトナー画像を中間転写ベルト２１に転写させた後に、この感光体１１の表面に残留するトナーを除去するクリーニング装置１５とを設けている。
【００２６】
ここで、前記の各イメージングカートリッジ１０Ａ〜１０Ｄにおける各現像装置１４においては収容させるトナーの色彩を異ならせ、黒色、黄色、マゼンタ色、シアン色のトナーを収容させている。
【００２７】
そして、この画像形成装置１においては、前記の各イメージングカートリッジ１０Ａ〜１０Ｄにおいて、それぞれ感光体１１の表面を帯電装置１２によって帯電させ、このように帯電された各感光体１１の表面にそれぞれ露光装置１３によって画像情報に応じた露光を行い、各感光体１１の表面にそれぞれ画像情報に応じた静電潜像を形成し、各感光体１１の表面に形成された静電潜像に、前記の各現像装置１４からそれぞれの色彩のトナーを供給して、各感光体１１の表面にそれぞれの色彩のトナー画像を形成するようにしている。
【００２８】
次いで、このような各イメージングカートリッジ１０Ａ〜１０Ｄにおける各感光体１１の表面に形成された各色彩のトナー画像を、中間転写ベルト２１に順々に転写させて、この中間転写ベルト２１の上に合成されたトナー画像を形成すると共に、転写後の各感光体１１の表面に残留するトナーをそれぞれクリーニング装置１５によって各感光体１１の表面から除去するようにしている。
【００２９】
一方、この画像形成装置１内に収容された記録媒体Ｓを給紙ローラー２２により給紙してタイミングローラー２３に導き、このタイミングローラー２３によって記録媒体Ｓを適当なタイミングで前記の中間転写ベルト２１と転写ローラー２４との間に導き、中間転写ベルト２１上に形成された前記のトナー像を、この記録媒体Ｓに転写させるようにしている。そして、記録媒体Ｓに転写されずに中間転写ベルト２１上に残ったトナーを、第２クリーニング装置２５によって中間転写ベルト２１から除去するようにしている。
【００３０】
また、前記のようにしてトナー画像が転写された記録媒体Ｓを定着装置３０に導き、この定着装置３０において、未定着のトナー画像を記録媒体Ｓに定着させ、その後、トナー画像が定着された記録媒体Ｓを排紙ローラー２７によって排紙するようにしている。
【００３１】
次に、本発明の実施形態に係る定着装置３０について具体的に説明する。
【００３２】
ここで、この実施形態に係る定着装置３０においては、図２に示すように、定着部材として定着ローラー３１を用い、この定着ローラー３１の外周側にＩＨ式の加熱装置３２を設け、この加熱装置３２によって定着ローラー３１の外周面側を加熱させるようにしている。
【００３３】
また、トナー画像ｔが形成された記録媒体Ｓを前記の定着ローラー３１との間で加圧させる加圧部材として加圧ローラー３３を用い、この加圧ローラー３３をバネ等の付勢手段３４により、前記の定着ローラー３１に押圧させるように付勢すると共に、この付勢手段３４によって加圧ローラー３３を定着ローラー３１に押圧させる押圧力を、圧力変更手段３５によって調整するようにしている。
【００３４】
そして、この実施形態の定着装置３０においては、前記の加熱装置３２によって定着ローラー３１の外周面側を加熱させると共に、回転駆動装置４０により前記の定着ローラー３１と加圧ローラー３３とを回転させるようにし、未定着のトナー画像ｔを記録媒体Ｓに定着させる定着動作時には、前記の記録媒体Ｓを、前記の定着ローラー３１と加圧ローラー３３との間において加熱・加圧させて、未定着のトナー画像ｔを記録媒体Ｓに定着させるようにしている。一方、定着動作を行わない待機時においては、回転駆動装置４０により前記の定着ローラー３１と加圧ローラー３３とを回転させる回転速度が、定着動作時よりも遅くなるようにしている。
【００３５】
ここで、この実施形態の定着装置３０において、前記の回転駆動装置４０によって定着ローラー３１と加圧ローラー３３とを回転させるにあたっては、回転駆動装置４０における回転を、回転伝達機構４１，４２により加圧ローラー３３に伝達させて、加圧ローラー３３を回転させると共に、この加圧ローラー３３の回転に伴って定着ローラー３１を従動回転させるようにしている。
【００３６】
また、前記の回転伝達機構４１，４２としては、減速比が異なる第１回転伝達機構４１と第２回転伝達機構４２とを設け、回転駆動装置４０における回転を加圧ローラー３３に伝達させる回転伝達機構４１，４２を、制御装置５０により、前記の第１回転伝達機構４１と第２回転伝達機構４２との間で切り換えるようにしている。なお、この実施形態においては、前記の第２回転伝達機構４２における減速比を第１回転伝達機構４１における減速比よりも大きくしている。
【００３７】
そして、この実施形態の定着装置３０において、未定着のトナー画像ｔを記録媒体Ｓに定着させる定着動作時には、減速比が小さな第１回転伝達機構４１により回転駆動装置４０における回転を加圧ローラー３３に伝達させて、加圧ローラー３３と定着ローラー３１との回転速度を速め、未定着のトナー画像ｔを記録媒体Ｓに定着させる速度を速めるようにする。
【００３８】
一方、定着動作を行わない待機時においては、減速比が大きな第２回転伝達機構４２により回転駆動装置４０における回転を加圧ローラー３３に伝達させて、加圧ローラー３３と定着ローラー３１との回転速度を遅くし、待機時における騒音の発生を抑制すると共に、加熱装置３２によって加熱された定着ローラー３１から熱が無駄に放熱されるのを抑制するようにしている。
【００３９】
また、この実施形態の定着装置３０においては、前記のように定着動作時と待機時とにおいて、前記の制御装置５０により、第１回転伝達機構４１と第２回転伝達機構４２とを切り換える際に、前記の付勢手段３４によって加圧ローラー３３を定着ローラー３１に押圧させる押圧力を、前記の圧力変更手段３５によって調整するようにしている。
【００４０】
さらに、この実施形態においては、前記の回転駆動装置４０における回転を排紙ローラー２７に伝達させる第３回転伝達機構４３を設け、前記のように第１回転伝達機構４１により回転駆動装置４０における回転を加圧ローラー３３に伝達させる定着動作時には、前記の第３回転伝達機構４３により、前記の回転駆動装置４０の回転を排紙ローラー２７に伝達させて、排紙ローラー２７を回転させるようにする一方、第２回転伝達機構４２により回転駆動装置４０における回転を加圧ローラー３３に伝達させる待機時においては、回転駆動装置４０における回転を、前記の第３回転伝達機構４３によって排紙ローラー２７に伝達させないようにし、排紙ローラー２７を回転させないように、前記の制御装置５０により、この第３回転伝達機構４３による回転の伝達を制御するようにしている。
【００４１】
次に、この実施形態における定着装置３０において、回転駆動装置４０における回転を加圧ローラー３３に伝達させる回転伝達機構４１，４２を、制御装置５０により、定着動作時と待機時とにおいて、減速比が異なる第１回転伝達機構４１と第２回転伝達機構４２との間で切り換えると共に、第３回転伝達機構４３により、排紙ローラー２７への回転駆動装置４０の回転の伝達を制御する具体的な例について説明する。
【００４２】
ここで、図３及び図４に示す定着装置３０の第１の例においては、回転駆動装置４０における回転を加圧ローラー３３に伝達させる回転伝達機構４１，４２を設けるにあたり、回転駆動装置４０の回転軸４０１に取り付けられた回転ギア４０２と噛み合って回転するように設けられた第１伝達ギア４０３に対して、大径ギア部４０４ａと小径ギア部４０４ｂとを有する定着動作用減速ギア４０４の大径ギア部４０４ａと、大径ギア部４０５ａと小径ギア部４０５ｂとを有する待機時用減速ギア４０５の大径ギア部４０５ａとがそれぞれ噛み合うようして、前記の第１伝達ギア４０３と定着動作用減速ギア４０４と待機時用減速ギア４０５とを一体化させ、前記の第１伝達ギア４０３の回転軸４０３ａを中心にして、前記の定着動作用減速ギア４０４と待機時用減速ギア４０５とが揺動できるようにしている。また、前記の待機時用減速ギア４０５の小径ギア部４０５ｂに噛み合される待機時用補助ギア４０６を、前記の加圧ローラー３３に回転を伝達させるための駆動用ギア４０７と噛み合うように設けている。
【００４３】
ここで、前記の待機時用減速ギア４０５と定着動作用減速ギア４０４とにおいては、待機時用減速ギア４０５における大径ギア部４０５ａに対する小径ギア部４０５ｂのギア比を、定着動作用減速ギア４０４における大径ギア部４０４ａに対する小径ギア部４０４ｂのギア比よりも小さくしている。このようにすると、前記の回転駆動装置４０における回転ギア４０２の回転を前記の駆動用ギア４０７に伝達させる場合に、待機時用減速ギア４０５から待機時用補助ギア４０６を介して駆動用ギア４０７に伝達される回転数が、定着動作用減速ギア４０４から駆動用ギア４０７に伝達される回転数よりも少なくなる。
【００４４】
そして、前記の駆動用ギア４０７により加圧ローラー３３を回転させるにあたっては、前記の駆動用ギア４０７の回転を、他の伝達ギア（図示せず）を介して加圧ローラー３３に伝達させるようにしている。
【００４５】
また、回転駆動装置４０の回転を排紙ローラー２７に伝達させる第３回転伝達機構４３を設けるにあたっては、回転駆動装置４０の回転軸４０１に取り付けられた回転ギア４０２と噛み合うようにして、ワンウェイ式伝達ギア４０８を設けると共に、このワンウェイ式伝達ギア４０８と噛み合うようにして排紙ローラー駆動用ギア４０９を設け、この排紙ローラー駆動用ギア４０９の回転を排紙ローラー２７に伝達させて、排紙ローラー２７を回転させるようにしている。
【００４６】
ここで、この定着装置３０において、定着動作を行うにあたっては、図３に示すように、前記の制御装置５０により、前記の第１伝達ギア４０３の回転軸４０３ａを中心にして、前記の定着動作用減速ギア４０４と待機時用減速ギア４０５とを所定方向（時計方向）に回動させて、前記の定着動作用減速ギア４０４における小径ギア部４０４ｂを、前記の駆動用ギア４０７に噛み合わせる一方、前記の待機時用減速ギア４０５における小径ギア部４０５ｂが前記の待機時用補助ギア４０６と噛み合わないように、待機時用減速ギア４０５を待機時用補助ギア４０６から離間させる。
【００４７】
そして、この状態で、前記の制御装置５０により、回転駆動装置４０における前記の回転ギア４０２を正方向（図に示す例では反時計方向）に回転させ、この回転ギア４０２の回転を、前記の第１伝達ギア４０３と定着動作用減速ギア４０４とで構成される第１回転伝達機構４１により前記の駆動用ギア４０７に伝達させて回転させ、この駆動用ギア４０７の回転により、前記の加圧ローラー３３と従動回転する定着ローラー３１とを回転させ、前記のように加熱装置３２によって加熱された定着ローラー３１と加圧ローラー３３との間で、未定着のトナー画像ｔを記録媒体Ｓに定着させるようにする。
【００４８】
また、前記のように正方向に回転する回転ギア４０２の回転に伴って前記のワンウェイ式伝達ギア４０８を回転させると共に、前記の排紙ローラー駆動用ギア４０９を回転させ、これにより前記の排紙ローラー２７を回転させて、トナー画像ｔが定着された記録媒体Ｓを排紙させるようにする。
【００４９】
そして、定着動作を行った後、待機状態に移行するにあたっては、前記のように回転している定着ローラー３１と加圧ローラー３３とを停止させるため、図示していないが、前記の制御装置５０により、回転駆動装置４０における回転を停止させると共に、前記の圧力変更手段３５によって加圧ローラー３３を定着ローラー３１に強く押圧させるようにする。ここで、このように加圧ローラー３３を定着ローラー３１に強く押圧させると、回転している定着ローラー３１と加圧ローラー３３とが速やかに停止されるようになると共に、これらの回転が停止されるまでの時間のバラツキも少なくなる。
【００５０】
そして、定着ローラー３１と加圧ローラー３３との間で未定着のトナー画像ｔを記録媒体Ｓに定着させない待機状態においては、前記のようにして定着ローラー３１と加圧ローラー３３との回転を停止させた後、図４に示すように、前記の制御装置５０により、前記の第１伝達ギア４０３の回転軸４０３ａを中心にして、前記の定着動作用減速ギア４０４と待機時用減速ギア４０５とを定着動作時とは逆方向（反時計方向）に回動させて、前記の待機時用減速ギア４０５における小径ギア部４０５ｂを、駆動用ギア４０７と噛み合った前記の待機時用補助ギア４０６に噛み合わせる一方、前記の定着動作用減速ギア４０４における小径ギア部４０４ｂが前記の駆動用ギア４０７と噛み合わないように、定着動作用減速ギア４０４を駆動用ギア４０７から離間させる。
【００５１】
そして、この状態で、前記の制御装置５０により、回転駆動装置４０における前記の回転ギア４０２を、前記の定着動作時とは逆方向（図に示す例では時計方向）に回転させ、この回転ギア４０２の回転を、前記の第１伝達ギア４０３と待機時用減速ギア４０５と待機時用補助ギア４０６とで構成される第２回転伝達機構４２により前記の駆動用ギア４０７に伝達させ、この駆動用ギア４０７を回転させて、前記の加圧ローラー３３と定着ローラー３１とを回転させるようにする。
【００５２】
このようにして加圧ローラー３３と定着ローラー３１とを回転させるようにすると、前記のように待機時用減速ギア４０５から待機時用補助ギア４０６を介して駆動用ギア４０７に伝達される回転数が、定着動作用減速ギア４０４から駆動用ギア４０７に伝達される回転数よりも少なくなり、駆動用ギア４０７によって回転される加圧ローラー３３と定着ローラー３１の回転速度が、前記の定着動作時よりも待機時において遅くなり、待機時において発生する騒音等が抑制されると共に、加熱装置３２によって加熱された定着ローラー３１から熱が過剰に放熱されるのが防止される。
【００５３】
また、図５及び図６に示す定着装置３０の第２の例においては、回転駆動装置４０における回転を加圧ローラー３３に伝達させる回転伝達機構４１，４２を設けるにあたり、回転駆動装置４０の回転軸４０１に取り付けられた回転ギア４０２と噛み合って回転するように設けられた第１伝達ギア４０３に対して、回転の伝達をオン・オフさせる電磁クラッチ４０４ｃが設けられた定着動作用減速ギア４０４と、回転の伝達をオン・オフさせる電磁クラッチ４０５ｃが設けられた待機時用減速ギア４０５とを設けると共に、前記の加圧ローラー３３に回転を伝達させる駆動用ギア４０７を、前記の定着動作用減速ギア４０４や待機時用減速ギア４０５と噛み合うように設けている。
【００５４】
ここで、前記の待機時用減速ギア４０５と定着動作用減速ギア４０４とにおいては、待機時用減速ギア４０５の径を定着動作用減速ギア４０４の径よりも大きくし、前記の回転駆動装置４０における回転ギア４０２の回転を前記の駆動用ギア４０７に伝達させる場合に、待機時用減速ギア４０５から駆動用ギア４０７に伝達される回転数が、定着動作用減速ギア４０４から駆動用ギア４０７に伝達される回転数よりも少なくなるようにしている。
【００５５】
そして、この定着装置３０において、定着動作を行うにあたっては、図５に示すように、前記の制御装置５０により、前記の定着動作用減速ギア４０４に設けられた電磁クラッチ４０４ｃをオンさせる一方、前記の待機時用減速ギア４０５に設けられた電磁クラッチ４０５ｃをオフさせ、この状態で、前記の回転駆動装置４０における前記の回転ギア４０２を所定の方向（図に示す例では反時計方向）に回転させ、この回転ギア４０２の回転を、前記の第１伝達ギア４０３と定着動作用減速ギア４０４とで構成される第１回転伝達機構４１によって前記の駆動用ギア４０７に伝達させて、駆動用ギア４０７を回転させるようにする。そして、この駆動用ギア４０７の回転により、前記の加圧ローラー３３と従動回転する定着ローラー３１とを回転させ、前記のように加熱装置３２によって加熱された定着ローラー３１と加圧ローラー３３との間で、未定着のトナー画像ｔを記録媒体Ｓに定着させるようにする。
【００５６】
また、定着動作を行った後、待機状態に移行するにあたっては、前記の場合と同様に、図示していないが、前記の制御装置５０により、回転駆動装置４０における回転を停止させると共に、前記の圧力変更手段３５により加圧ローラー３３を定着ローラー３１に強く押圧させ、定着ローラー３１と加圧ローラー３３とを速やかに停止させるようにすると共に、これらの回転が停止されるまでの時間のバラツキを少なくする。
【００５７】
そして、定着ローラー３１と加圧ローラー３３との間で未定着のトナー画像ｔを記録媒体Ｓに定着させない待機状態においては、前記のようにして定着ローラー３１と加圧ローラー３３との回転を停止させた後、図６に示すように、前記の制御装置５０により、前記の待機時用減速ギア４０５に設けられた電磁クラッチ４０５ｃをオンさせる一方、前記の定着動作用減速ギア４０４に設けられた電磁クラッチ４０４ｃをオフさせる。そして、この状態で、回転駆動装置４０における前記の回転ギア４０２を、定着動作時と同じ方向に回転させ、この回転ギア４０２の回転を、前記の第１伝達ギア４０３と待機時用減速ギア４０５とで構成される第２回転伝達機構４２によって前記の駆動用ギア４０７に伝達させ、この駆動用ギア４０７を回転させて、前記の加圧ローラー３３と定着ローラー３１とを回転させるようにする。
【００５８】
このようにして加圧ローラー３３と定着ローラー３１とを回転させるようにした場合にも、前記の場合と同様に、待機時用減速ギア４０５から駆動用ギア４０７に伝達される回転数が、定着動作用減速ギア４０４から駆動用ギア４０７に伝達される回転数より少なくなり、駆動用ギア４０７によって回転される加圧ローラー３３と定着ローラー３１の回転速度が、前記の定着動作時よりも待機時において遅くなり、待機時において発生する騒音等が抑制されると共に、加熱装置３２によって加熱された定着ローラー３１から熱が過剰に放熱されるのが防止される。
【符号の説明】
【００５９】
１        ：画像形成装置
１０Ａ，１０Ｂ，１０Ｃ，１０Ｄ    ：イメージングカートリッジ
１１      ：感光体
１２      ：帯電装置
１３      ：露光装置
１４      ：現像装置
１５      ：クリーニング装置
２１      ：中間転写ベルト
２２      ：給紙ローラー
２３      ：タイミングローラー
２４      ：転写ローラー
２５      ：第２クリーニング装置
２７      ：排紙ローラー
３０      ：定着装置
３１      ：定着ローラー（定着部材）
３２      ：加熱装置
３３      ：加圧ローラー（加圧部材）
３４      ：付勢手段
３５      ：圧力変更手段
４０      ：回転駆動装置
４１      ：第１回転伝達機構
４２      ：第２回転伝達機構
４３      ：第３回転伝達機構
５０      ：制御装置
４０１    ：回転軸
４０２    ：回転ギア
４０３  ：第１伝達ギア、４０３ａ  ：回転軸
４０４  ：定着動作用減速ギア、４０４ａ  ：大径ギア部、４０４ｂ  ：小径ギア部、４０４ｃ  ：電磁クラッチ
４０５  ：待機時用減速ギア、４０５ａ  ：大径ギア部、４０５ｂ  ：小径ギア部、４０５ｃ  ：電磁クラッチ
４０６    ：待機時用補助ギア
４０７    ：駆動用ギア
４０８    ：ワンウェイ式伝達ギア
４０９    ：排紙ローラー駆動用ギア
Ｓ        ：記録媒体
ｔ        ：トナー画像
【図１】
2016090952.tif 000003
【図２】
2016090952.tif 000004
【図３】
2016090952.tif 000005
【図４】
2016090952.tif 000006
【図５】
2016090952.tif 000007
【図６】
2016090952.tif 000008